(57)【特許請求の範囲】
【請求項１】
複数のピースをシート形状に縫合したのち、車両用シート表面を覆うように張設される表皮材を有し、
前記表皮材を構成する前記複数のピースに、各々、前記表皮材の意匠面を構成する意匠部位と、前記意匠部位とは異なる縫い代部位とを設け、
前記表皮材の意匠部位に、寸法の異なる貫通孔又は非貫通孔を、一定の規則性を持たして配列形成するとともに、前記表皮材の縫い代部位を、貫通孔又は非貫通孔を形成しない無地状態とする車両用シートにおいて、
着座者の着座位置とされるシートバック中央部に対してシートバック両側部が突出凸状に形成されたシート本体に前記表皮材が張設されており、
前記表皮材の貫通孔又は非貫通孔が、前記シートバック中央部から前記シートバック両側部に向かって連続的又は段階的に寸法が小さくなる規則性を持たして配置形成されている車両用シート。
【発明の詳細な説明】
【技術分野】
【０００１】
本発明は、車両用シートに関し、詳しくは、貫通孔又は非貫通孔を設けた表皮材を張設した車両用シートに関する。
【背景技術】
【０００２】
この種のシートとして、例えば、表皮材のシート中央部分に通気孔を設けた空調機能付き車両用シート（特許文献１）が公知である。また、意匠性を向上させるために表皮材に貫通孔を設けた家庭用シート（特許文献２）が公知である。
【０００３】
ところで車両用シートは、家庭用シートと比較してより機能性を追及した形態とされている。例えば典型的な車両用シートは、車両運転時の着座者が安定してシート中央部に納まるように、着座者の着座するシート中央部に対してシート両側部が緩やかな突出状に形成されている。そしてシートバック両側部は、乗降時の着座者が擦るように接触する部位であることから、シートバック中央部よりも耐摩耗性に優れることが望ましい。
【０００４】
また車両用シートの表皮材は、一般的に複数のピースをシート状に縫合した構成である。各ピースは、例えば図８を参照して、予めプレス型で画一的に（同径且つ均等ピッチに）貫通孔を設けた一枚の表皮材原反４より各々裁断されて製造される。そして各々のピースを縫い合わせてシート状の表皮材とするのであるが、車両用シートの表皮材には丈夫さが求められるので、表皮材を構成するピース間の縫合強度が高いことが望ましい。
【特許文献１】特開２００５−２５３４９２号公報
【特許文献２】登録実用新案第３０６２１１７号公報
【発明の開示】
【発明が解決しようとする課題】
【０００５】
上述のような事情から、車両用シートの表皮材に意匠性向上のため貫通孔を設けるにしても、車両用シート自体の機能や物性等が確保されるよう配慮する必要がある。このため車両用シートの表皮材の貫通孔は、例えば通気孔として利用されることがあるにしても（特許文献１を参照）、車両用シートの機能や物性に合わせて十分に活用されているとはいいがたいものであった。
本発明は上述の点に鑑みて創案されたものであり、本発明が解決しようとする課題は、表皮材の貫通孔又は非貫通孔に、より機能的な役割を持たせて有効利用することにある。
【課題を解決するための手段】
【０００６】
上記課題を解決するための手段として、第１発明の車両用シートは、シート本体に張設可能なシート形状を有するように、複数のピースが互いに縫合されて構成されてなる表皮材を有する。そしてピース毎に、表皮材の意匠面を構成する意匠部位と、この意匠部位とは異なる縫い代部位を有する。そして表皮材の意匠部位に、寸法の異なる貫通孔又は非貫通孔（薄肉部）を、一定の規則性を持たして配置形成した。また表皮材の縫い代部位を、貫通孔又は非貫通孔を形成しない無地状態とした。
そして第１発明によれば、表皮材の「意匠部位」に、寸法の異なる貫通孔又は非貫通孔を一定の規則性を持たして配置形成する（貫通孔又は非貫通孔の寸法の違いによるグラデーションを設ける）ことで、グラデーションによる意匠性を向上させながら、貫通孔又は非貫通孔の寸法の違いに由来する機能性を表皮材に付与することができる。一方、表皮材の「縫い代部位」を、貫通孔又は非貫通孔を形成しない無地状態とすることで、ピース同士の縫付強度を確保することができる。
【０００７】
ここで第１発明のピースの縫い代部位に、ピースとは異なる他のピースとを縫い合わせる際の縫合位置を決めるマーキングを形成することが好ましい。マーキングは、ピース同士を縫い合わせてシート形状とする際、ピース毎に形成された貫通孔が一定の規則性にて配置形成されるように、ピースのマーキングと他のピースのマーキングを対応させつつ縫合するための目印である。そして、ピースのマーキングと他のピースのマーキングを対応させつつ縫合することで、表皮材における貫通孔又は非貫通孔の規則的配列がピース間でずれないようにシート状に縫合することができる。
【０００８】
そして第１発明では、車両用シートのシート本体が、着座者の着座姿勢位置とされるシートバック中央部に対してシートバック両側部が突出凸状に形成されている。この車両用シートでは、シートバック中央部と比較して、シートバック両側部により高い耐摩耗性が求められる。
そこで第１発明では、複数の貫通孔又は非貫通孔を、シートバック中央部からシートバック両側部に向かって連続的又は段階的に寸法が小さくなる規則性を持たして（貫通孔の寸法の違いによるグラデーションを設けて）配置形成した。これにより、比較的寸法の小さい貫通孔又は非貫通孔が配置形成されたシートバック両側部には、シートバック中央部よりも高い耐摩耗性が備わる。
【０００９】
【発明の効果】
【００１０】
第１発明によれば、車両用シートの機能や物性に合わせて、より機能的な役割を有する貫通孔又は非貫通孔（薄肉部）を設けた表皮材を備えた車両用シートを提供することができる。
そして第１発明によれば、シートバック両側部の耐摩耗性が優れた車両用シートを提供することができる。
【発明を実施するための最良の形態】
【００１１】
以下、本発明を実施するための最良の形態を、図面を参照しつつ説明する。図１〜図４は実施例１の車両用シートである。図５〜図７は、参考例の車両用シートである。そして図８〜図１０は従来の表皮材の構成を説明するための説明図である。
そして上記各図では、適宜「貫通孔又は非貫通孔（薄肉部）」を黒丸で図示する。また各図において、便宜上一部の貫通孔（又は非貫通孔）にのみ符号３４を付すが、黒丸で図示された部分は全て貫通孔（又は非貫通孔）である。
【００１２】
［実施例１］
（車両用シート）
図１を参照して、実施例１に係る車両用シート１には、シートクッション１０、シートバック８０及びシートヘッドレスト９０からなるシート本体を覆うように、貫通孔３４を設けた表皮材Ｓ（１０Ｓ，８０Ｓ，９０Ｓ）が張設されてなる。なお表皮材Ｓ（１０Ｓ，８０Ｓ，９０Ｓ）の材質は特に限定しないが一般的には皮革製である。
そして本実施例の車両用シート１は、着座者の着座姿勢位置となるシートバック８０中央部Ｃに対してシートバック８０の両側部Ｌ，Ｌが緩やかな突出凸状に形成されている。このシートバック８０両側部Ｌ，Ｌは、上述の通り、乗降時の着座者が擦るように接触する部位である。このためシートバック８０の両側部Ｌ，Ｌは、シートバック８０中央部Ｃよりも耐摩耗性に優れることが望ましい。
【００１３】
そこで本実施例では、シートバック８０の両側部Ｌ，Ｌの耐摩耗性が保持されるよう、シートバック８０を覆う表皮材８０Ｓに複数の貫通孔３４を設けた。すなわち、複数の貫通孔３４を、シートバック８０中央部Ｃからシートバック８０両側部Ｌ，Ｌに向かって連続的（又は段階的）に径寸法が小さくなる規則性を持たして表皮材８０Ｓに配置形成した（貫通孔３４の径寸法の違いによるグラデーションを設けた）。より詳細には、表皮材８０Ｓに設けられる貫通孔３４は、シートバック８０の側部Ｌ，Ｌの途中まで設けられており、その両端部Ｅ，Ｅは、貫通孔３４が設けられていない無地状態とした。この貫通孔３４が設けられていない無地状態のシート端部Ｅが、車両用シート１への着座者が乗降する際に擦れる部分であり、耐摩耗性が最も要求される部分である。
このため車両用シート１では、径寸法の小さい貫通孔３４を配置形成したシートバック８０両側部Ｌ，Ｌ（特に無地状態の両端部Ｅ，Ｅ）が、径寸法の大きい貫通孔３４を配置形成したシートバック８０中央部Ｃと比較して、より高い耐摩耗性を備えることとなる（換言すると、車両用シート１の乗降性能が高められている）。
【００１４】
一方、本実施例では、シートバック８０中央部Ｃの表皮材８０Ｓ及びシートクッション１０中央部Ｃの表皮材１０Ｓ（いずれも着座者の着座姿勢位置）には比較的径寸法の大きい貫通孔３４が形成されている。このため両中央部１０Ｃ，８０Ｃを覆う表皮材１０Ｓ，８０Ｓ部分は、着座者の荷重により適度に伸びる（良好な伸び特性を備える）構成を有する。よって本実施例の車両用シート１によれば、シートバック８０中央部Ｃ及びシートクッション１０中央部Ｃに、例えば車両運転時の着座者が適度に沈み込んで納まることとなる（換言すると、車両用シート１の拘束性能が高められている）。
【００１５】
このように本実施例は、車両用シート１の乗降性能及び拘束性能をより高めるという機能的な役割を表皮材（１０Ｓ，８０Ｓ）の貫通孔３４に持たせたものである。
さらに車両用シート１は、シートヘッドレスト９０の表皮材９０Ｓ（側面ピース９２Ｓｐ）にも貫通孔３４を設けてあって、その意匠性がより高められている。このように表皮材Ｓ（１０Ｓ，８０Ｓ，９０Ｓ）に貫通孔３４の径寸法の違いによるグラデーションが設けられることで、車両用シート１が優れた意匠性を有することとなる。
【００１６】
ところで本実施例では、表皮材Ｓの貫通孔３４（黒丸）が大きく強調して図示されているが、実際には目視で確認困難な程度の径寸法（例えば０．０５ｍｍ）から１．７ｍｍ程度の径寸法の範囲であればよい。また本実施例では、意匠性を高めるために貫通孔３４を形成した例を示したが、貫通孔３４の代わりに非貫通孔（薄肉部）を表皮材Ｓ（１０Ｓ，８０Ｓ，９０Ｓ）に形成してもよい。なお表皮材Ｓには、貫通孔３４及び非貫通孔はいずれか一種のみを形成してもよく、それらを適宜組み合わせて形成してもよい。
そして表皮材Ｓの貫通孔３４又は非貫通孔の形状は、本実施例に示す円形のほか、楕円形などの略円形状、ひし形，三角形，四角形，五角形又は星形等の多角形状でもよい。
【００１７】
（表皮材の製造方法）
上述の表皮材Ｓ（１０Ｓ，８０Ｓ，９０Ｓ）は、複数のピースを縫合してシート形状としたものである。そしてピースの製造工程は、図２を参照して、（ａ）「ピース区分け工程」及び（ｂ）「貫通孔形成工程」を有している。
そして本実施例では、コンピュータ制御のレーザー光照射装置（図示しない）を使用することにより「ピース区分け工程」及び「貫通孔（又は非貫通孔）形成工程」を実質同時に行う。そしてコンピュータ制御のレーザー光照射装置を使用することで、「貫通孔形成工程」において、予め設定された大きさ、形状及び間隔でもって複数の貫通孔３４をピースに正確に形成することができる。さらに本実施例の製造方法によれば、後述するように、従来のピース製造方法の問題点を同時に解消することができる。
【００１８】
ところで従来のピース製造方法は、図８（ａ）に示すように、画一的な（同径且つ均等ピッチの）複数の貫通孔を設けた一枚の表皮材原反４に対して同図（ｂ）の「ピース裁断工程」を行う製造方法である。
ここで均等ピッチとは、例えば図９を参照して、隣接する２つの貫通孔を結ぶ線の長さ寸法を常にａとし、直近の４つの貫通孔で四角形を形成したとき、その対角線の長さ寸法は常にｂとすることである。そして従来の製造方法の問題点の一つは、ピースの縫い代部にまで貫通孔３４が形成されることである。このように縫い代部位に貫通孔があることで、その強度が低下するとともに、表皮材を構成するピース間の縫合強度が低下する。
【００１９】
さらに図１０を参照して、シートバック８０側部Ｌを覆うピース（側部ピース８８Ｓｐ）を例にとり従来の製造法の別の問題点を説明する。
すなわち従来の製造法では、貫通孔３４の配列がピース間でずれないうようにシート状に縫合する必要上、ピース区分け工程において貫通孔３４の柄を揃えた状態で複数のピースを表皮材原反４より裁断する必要がある。具体的には図１０（ａ）のように、基本となる柄の側部ピース｛柄角度０°の側部ピース８８Ｓｐ(1)｝と同一の柄の関係にある側部ピース｛柄角度９０°の側部ピース８８Ｓｐ(2)、１８０°の側部ピース８８Ｓｐ(3)又は２７０°の側部ピース８８Ｓｐ(4)｝を表皮材原反４より裁断する必要がある。
【００２０】
一方、図１０（ｂ）のように、表皮材原反から多くのピースを裁断しようとすると、側部ピース８８Ｓｐ(1)、８８Ｓｐ(2)、８８Ｓｐ(4)は柄がほぼ同一となるが、側部ピース８８Ｓｐ(5)、側部ピース８８Ｓｐ(6)は柄が異なる（他のピースと縫合したときにピース間で貫通孔配置にずれが生じる）ため、不良品として使用できない。また、同図（ｃ）を参照して、仮に表皮材原反４に傷部（例えば、裂け目、切れ目、ほつれ、擦り切れ、摩耗跡、損耗跡、汚れ跡）Ｘがある場合、この傷部Ｘ周囲の表皮材原反４部分が広範囲にわたって使用できなくなる。さらに、同図（ｄ）を参照して、車両用シート１のデザインによっては、予め貫通孔３４を設けた表皮材原反４と、貫通孔３４を設けない無地の表皮材原反６の２種類を用意する必要がある。
【００２１】
[ピース区分け工程]
そこで本実施例の「ピース区分け工程」では、上記問題点を解消すべく、図２（ａ）を参照して、貫通孔３４を設ける前段階の（無地の）表皮材原反６をピース毎に区分けすることとした。
このように無地の表皮材原反６を使用すると、図３（ａ）を参照して、貫通孔３４の柄角度とは無関係に側部ピース８８Ｓｐを区分けすることができ、表皮材原反６から得られるピース枚数が極端に増加する（歩留まりが向上する）。そして本実施例によれば、後述の「貫通孔形成工程」においてピース毎に貫通孔３４を設けるため、予め貫通孔３４を設けた表皮材原反４と貫通孔３４を設けない無地の表皮材原反６の２種類を用意する必要がない。このため、図３（ｂ）を参照して、貫通孔３４を形成した側部ピース８８Ｓｐ(1)〜(4)と、無地状態のピース（後述するシートヘッドレスト用の側面ピース９２Ｓｐ）を一枚の表皮材原反６に設けることができる。
なお「ピース毎に区分けする」とは、表皮材原反６よりピースを裁断することのほか、（ピースを裁断することなく）ピース外形を示す区分けラインＰＬ（実線又はコンピュータ上に設定された仮想線）による線引きをすることを意味する。
【００２２】
さらに「ピース区分け工程」｛図２（ａ）を参照｝では、区分けラインＰＬを底辺とした略Ｖ字状の切欠（マーキング３６）を形成しつつ、ピースを区分けする（図面上では、各ピースに形成のマーキングの一つにのみ符号３６を付す）。
このマーキング３６は、ピース同士を縫い合わせてシート形状とする際、ピース毎に形成された貫通孔が一定の規則性にて配置形成されるように、ピースと他のピースとを縫い合わせる際の縫付位置を決める目印である。そして、ピースのマーキング３６と他のピースのマーキング３６を対応させつつピース同士を縫合することで、ピース毎に形成された貫通孔３４がピース間でずれないようにシート形状とすることができる。このため、表皮材Ｓ（１０Ｓ，８０Ｓ，９０Ｓ）縫合時の手間が省け、縫合作業が容易となる。
なおマーキング３６の配置位置や形状は特に図示された略Ｖ字状に限定されるものではなく、ピースの大きさや張設位置によって適宜変更される。
【００２３】
[貫通孔形成工程]
次に「貫通孔形成工程」では、図２（ｂ）を参照して、上述のマーキング３６が収まるよう区分けラインＰＬに沿って設けた「縫い代部位３０」と、この縫い代部位３０で囲まれた「意匠部位３２」とを区別して形成する。なお「意匠部位３２」とは、人が見たり触ったりできる表皮材Ｓ（１０Ｓ，８０Ｓ，９０Ｓ）の外面(表皮材Ｓの意匠面を構成する部位)である。
【００２４】
例えば図４（ａ）を参照して、側部ピース８８Ｓｐ（シートバック８０側部Ｌを覆うピース）では、区分けラインＰＬを帯状に縁取る「縫い代部位３０」を無地状態で残しておく。そして側部ピース８８Ｓｐにレーザー光を照射して、シートバック８０中央部Ｃに対応の縫い代部位３０（図下側）から、シートバック８０両側部Ｌ（端部Ｅ）に対応の縫い代部位３０（図上側）に向かって連続的（又は段階的）に径寸法が小さくなる規則性を持たした貫通孔３４を配置形成する。
また別の例として、図４（ｂ）を参照して、側面ピース９２Ｓｐ（シートヘッドレスト９０側部Ｌを覆うピース）でも、区分けラインＰＬを帯状に縁取る「縫い代部位３０」を無地状態で残しておく。そして側面ピース９２Ｓｐにレーザー光を照射して、側面ピース９２Ｓｐ中央から縫い代部位３０に向かって連続的（又は段階的）に径寸法が小さくなる規則性でもって貫通孔３４を放射状に配置形成する。
こうすることで上記各ピース（８８Ｓｐ，９２Ｓｐ）の「意匠部位３２」に貫通孔３４の径寸法の違いによるグラデーションを設けて配置形成するとともに、「縫い代部位３０」を無地状態（マーキング３６のみが設けられた状態）で残すことができる。
【００２５】
[縫合工程]
次に、ピース毎に形成された貫通孔３４を一定の規則性にて配置形成するように、上述のマーキング３６を目印にピース同士を縫合してシート形状とする。具体的には、「縫い代部位３０」をシート本体内部方向に折り返し状態として各ピースを互いに縫合し、シート本体表面に後述する「意匠部位３２」を露出した状態とする（図７を参照）。このとき各ピースの縫い代部位３０は無地状態（貫通孔３４又は非貫通孔がない状態）であるので、車両用シート１に特に好適な縫付強度を有する。また縫合具(典型的には縫糸)が貫通孔３４に入り込むこともない。
【００２６】
そして最後に、上述の工程を経て製造されたシート状の表皮材Ｓ（１０Ｓ，８０Ｓ，９０Ｓ）をシート本体に張設する。
このように製造された車両用シート１は、上述の通り、径寸法の小さい貫通孔３４を配置形成したシートバック８０両側部Ｌ，Ｌ（特に無地状態の両端部Ｅ，Ｅ）が、径寸法の大きい貫通孔３４を配置形成したシートバック８０中央部Ｃと比較してより高い耐摩耗性を有することとなる。一方、シートバック８０中央部Ｃ及びシートクッション１０中央部Ｃ（いずれも着座時の着座者を収納する部位）は、表皮材Ｓに形成した貫通孔３４の径寸法が比較的大きく、着座者の荷重により適度に伸びる。このため、車両運転時の着座者が安全に車両用シート１に沈み込んで納まることとなる。このように本実施例では、車両用シート１の機能や物性に合わせて、表皮材Ｓの貫通孔３４に、より機能的な役割を持たせることができる。
【００２７】
［参考例］
（車両用シート）
参考例の車両用シートの基本構造及び表皮材Ｓの製造方法は、実施例１の車両用シートとほぼ同一であるため、共通の構造等については対応する符号を付すことで詳細な説明を省略する。
参考例に係る車両用シート２は、図５及び図７を参照して、シートクッション１０中央部Ｃ及びシートバック８０中央部Ｃに対して、シートクッション１０端部Ｅ及びシートバック８０端部Ｅ（シート端部Ｅと総称する）が突出状に形成されている。このような車両用シート２では、表皮材Ｓ（１０Ｓ，８０Ｓ，９０Ｓ）をうまくシート本体外形（典型的にはシートバックパッド８０Ｐ）に対応させて張設するために、突出状のシート端部Ｅに張設すべき表皮材Ｓ部分が伸びやすい（伸び特性に優れる）ことが望ましい。
【００２８】
そこで本参考例では、表皮材１０Ｓ，８０Ｓのシート端部Ｅ付近に貫通孔３４を設けるとともに、シート中央部Ｃからシート端部Ｅ側に向かって連続的（又は段階的）に径寸法が大きくなる規則性をもって貫通孔３４を配置形成した。例えば図６を参照して、シートバック８０上部を覆う上部ピース８０Ｓｐには、シート中央部Ｃからシート端部Ｅ側に向かって連続的（又は段階的）に径寸法が大きくなる規則性をもって貫通孔３４を配置形成されている。
このため、シート中央部Ｃ側よりも径寸法の大きい貫通孔３４又は非貫通孔を配置形成したシート端部Ｅの表皮材１０Ｓ，８０Ｓが伸びやすくなり（表皮材の伸び特性が向上し）、より好適にシート本体外形に対応させて表皮材１０Ｓ，８０Ｓを張設することができる。
【００２９】
さらに本参考例では、シート端部Ｅ（突出凸状）の表皮材１０Ｓ，８０Ｓを伸ばしやすくしたことにより、図７（ａ）で見て表皮材Ｓ側端を下方向に引っ張ってずらすことができる。このため図７（ａ）で示したピース縫製位置ＳＥＷを、図７（ｂ）で示す縫製位置ＳＥＷまで下げることができる。よって、ピースの縫製位置ＳＥＷの自由度が高まり、表皮材１０Ｓ，８０Ｓの張設作業がより容易となる。
このように本参考例でも、車両用シート２の機能や物性に合わせて、表皮材Ｓの貫通孔３４に、より機能的な役割を持たせることができる。
【００３０】
上述の実施例に係る表皮材又は車両用シートは、上述した実施例に限定されるものではなく、その他各種の実施形態を取り得る。
（１）各実施例では、専らシートバック、シートクッション又はシートヘッドレストの表皮材を例示して、貫通孔又は非貫通孔（薄肉部）の配置形成例を示した。本実施例の表皮材は、これら構成部材のほか、車両用シートを構成する各種の部材及びその付属物に対しても適宜適用可能である。
（２）各実施例では、専ら車両用シート着座席側面に貫通孔又は非貫通孔（薄肉部）を設ける例を説明した。これとは異なり、車両用シート後部座席面の表皮材（バックカバー）に貫通孔又は非貫通孔（薄肉部）を設けてもよい。
（３）各実施例では、典型的な例として縫糸を用いて複数のピースを縫合する例を説明した。この縫合具として、縫糸の代わりにステープルのような金属製縫合具を用いてもよい。そして「縫合」の概念には「接着」も含まれることとする。接着とは、公知の接着剤を用いて各ピースを接着すること、または各ピース同士を熱融着することである。各ピースを接着する場合には、縫い代部位が接着部位となる。
（４）そして各実施例では、レーザー光照射装置を使用することで、「ピース区分け工程」及び「貫通孔形成工程」を実質同時に行う例を説明した。これとは異なり、工程毎に異なるプレス型を使用して、「ピース区分け工程」の次に「貫通孔形成工程」を逐次行ってもよい。
【図面の簡単な説明】
【００３１】
【図１】実施例１に係る車両用シートの斜視図である。
【図２】（ａ）は、ピース区分け工程を説明するための表皮材原反の正面図であり、（ｂ）は、貫通孔形成工程を説明するための表皮材原反の正面図である。
【図３】（ａ）傷のある無地の表皮材原反の正面図であり、（ｂ）は、貫通孔を設けたピースと、貫通孔を設けていない無地のピースが混在した表皮材原反の正面図である。
【図４】（ａ）は、シートバック側部を覆うピースの正面図であり、（ｂ）は、シートヘッドレスト側面を覆うピースの正面図である。
【図５】参考例に係る車両用シートの斜視図である。
【図６】シートバック上部を覆うピースの正面図である。
【図７】図５の車両用シートのＶＩＩ−ＶＩＩ線一部縦断面図であって、（ａ）は縫製位置の一例を説明する一部縦断面図であり、（ｂ）は縫製位置の他の例を説明する一部縦断面図である。
【図８】（ａ）は、予め貫通孔を形成した表皮材原反の正面図であり、（ｂ）は、ピース区分け工程を説明するための表皮材原反の正面図である。
【図９】表皮材原反に予め形成した貫通孔のピッチを説明する説明図である。
【図１０】（ａ）は、ピースを正しく区分けした従来の表皮材原反の正面図であり、（ｂ）は、ピースを間違って区分けした従来の表皮材原反の正面図であり、（ｃ）は、傷のある表皮材原反の正面図であり、（ｄ）は、貫通孔を設けた表皮材原反と、貫通孔を設けていない無地の表皮材原反の正面図である。
【符号の説明】
【００３２】
１     車両用シート
２     別の例の車両用シート
４     表皮材原反
６     無地の表皮材原反
１０   シートクッション
３０   縫い代部位
３２   意匠部位
３４   貫通孔
３６   マーキング
８０   シートバック
９０   シートヘッドレスト
Ｓ     表皮材
Ｓｐ   （表皮材の）ピース
８０Ｓｐ      （シートバック用表皮材の）上部ピース
８８Ｓｐ      （シートバック用表皮材の）側部ピース
９２Ｓｐ      （シートヘッドレスト用表皮材の）側面ピース
【図１】
0005200468.tif 000002
【図２】
0005200468.tif 000003
【図３】
0005200468.tif 000004
【図４】
0005200468.tif 000005
【図５】
0005200468.tif 000006
【図６】
0005200468.tif 000007
【図７】
0005200468.tif 000008
【図８】
0005200468.tif 000009
【図９】
0005200468.tif 000010
【図１０】
0005200468.tif 000011